(57)【特許請求の範囲】
【請求項１】
室内の床面の下方に水平配管されたダクト本体を介して、該室内空間に吸排気を行う換気システムに用いられて、
前記床面に開口形成された換気開口部に、一部重複して係止される上面視正方形状の縁材と、複数の通気口を縦横に整列配置させた格子部とを有して設けられた換気グリル部から下方に向けて延設されたグリル側縦管部の下部には、エルボ部を有するエルボ部材の縦管部に、内嵌する際に、該エルボ部材の縦管部に内向きに凸設形成された複数の係止フィンと各々係止されて、約９０度以内の回転が許容される回転止め片が複数形成されている縦管部と、
該縦管部から管路を水平に屈曲させることにより、前記ダクト本体と接続するエルボ部とを有する床グリル構造であって、
前記エルボ部のうち、前記縦管部の下方に位置する底面部の高さ方向位置は、前記ダクト本体の最下面部の高さ方向位置よりも、低くなるように設定されていると共に、
前記縦管部の真下に、位置する前記底面部が、平板状の底板部と、この底板部の周囲に位置するすり鉢状の傾斜面部とによって、異物等を一定量保持可能とすると共に、保持されている異物等が、乗り越えて前記ダクト本体の端部から、ダクト本体内部へ向けて侵入しにくくなる段部を有することを特徴とする床グリル構造。
【発明の詳細な説明】
【技術分野】
【０００１】
本発明は、住宅等の建物の床下に配管されるダクトの通気性を維持して、メンテナンスの間隔を拡げることが出来る床グリル（床ガラリ）構造に関するものである。
【背景技術】
【０００２】
従来、図１１に示すような住宅等、建物１の床下空間２を利用して、換気用のダクトを配策する換気システムが知られている（例えば、特許文献１及び特許文献２等参照）。
【０００３】
まず、構成から説明すると、このような従来の換気システムでは、前記建物１の各室内空間３〜５が、床面６及び壁面部７…等によって区画されている。
【０００４】
このうち、床面６の下方に位置する床下空間２には、水平配管されたダクト本体８，８を介して、室内空間３，５等に、内，外気を循環若しくは吸排気することにより、暖熱、冷却等の温度調整や或いは、湿度調整が行われる換気システム９の冷暖房ユニット９ａが設けられている。
【０００５】
このような換気システム９では、前記床面６に開口形成された換気開口部１０に、換気グリル部１１が各々設けられている。
【０００６】
この換気グリル部１１では、前記床面６に沿って埋設されるグレーチング部１２から略鉛直に延設される縦管部１３が設けられている。
【０００７】
この縦管部１３には、約９０度湾曲させることにより、前記水平配管されたダクト本体８と接続されるエルボ部１４が延設されている。
【０００８】
次に、この従来の換気システム９の作用について説明する。
【０００９】
この従来の換気システム９では、外気吸入口１５若しくは、室内吸込口１６等から取り入れられた外気若しくは室内空間３，５等の空気が、暖房ユニット９ａによって、適宜、調和されて、前記ダクト本体８，８を介して、前記換気グリル部１１，１１方向へ向けて送出される。
【００１０】
そして、換気グリル部１１では、前記グレーチング部１２を介して、調和された空気が、前記室内空間３，５内に放出されて、室内空間３，５等が快適な状態に保持される。
【特許文献１】特許第３００２９６２号公報（０００７段落乃至００１２段落、図１）
【特許文献２】特開平１０−１６０１９８号公報（００１０段落乃至００４０段落、図１）
【発明の開示】
【発明が解決しようとする課題】
【００１１】
しかしながら、このように構成された従来の換気システムでは、前記エルボ部１４が、縦管部１３から約９０度湾曲させただけで、水平配管されたダクト本体８と接続されている。
【００１２】
このため、室内空間３，５から縦管部１３内へ侵入した液体、埃や小物体等の異物は、このエルボ部１４の底面の湾曲形状に沿って、ダクト本体８方向まで侵入して、ダクト本体８内に留まることにより、通気抵抗を増大させたり、或いは、前記暖房ユニット９ａまで到達してしまう虞もあった。
【００１３】
そこで、この発明は、縦管部内に異物が侵入した場合でも、容易に除去出来て、メンテナンス性が良好であると共に、通気抵抗を増大させること無く、清潔な空気を供給できる床グリル構造を提供することを課題としている。
【課題を解決するための手段】
【００１４】
室内の床面の下方に水平配管されたダクト本体を介して、該室内空間に吸排気を行う換気システムに用いられて、前記床面に開口形成された換気開口部に、一部重複して係止される上面視正方形状の縁材と、複数の通気口を縦横に整列配置させた格子部とを有して設けられた換気グリル部から下方に向けて延設されたグリル側縦管部の下部には、エルボ部を有するエルボ部材の縦管部に、内嵌する際に、該エルボ部材の縦管部に内向きに凸設形成された複数の係止フィンと各々係止されて、約９０度以内の回転が許容される回転止め片が複数形成されている縦管部と、該縦管部から管路を水平に屈曲させることにより、前記ダクト本体と接続するエルボ部とを有する床グリル構造であって、前記エルボ部のうち、前記縦管部の下方に位置する底面部の高さ方向位置は、前記ダクト本体の最下面部の高さ方向位置よりも、低くなるように設定されていると共に、前記縦管部の真下に、位置する前記底面部が、平板状の底板部と、この底板部の周囲に位置するすり鉢状の傾斜面部とによって、異物等を一定量保持可能とすると共に、保持されている異物等が、乗り越えて前記ダクト本体の端部から、ダクト本体内部へ向けて侵入しにくくなる段部を有する床グリル構造を特徴としている。
【発明の効果】
【００１６】
このように構成された本願発明の請求項１記載のものは、前記エルボ部に形成された底面部の高さ方向位置が、前記ダクト本体の最下面部の高さ方向位置よりも、低く設定されている。
【００１７】
このため、前記縦管部から侵入した異物は、該エルボ部の底面部に滞留して、前記水平配管されたダクト本体方向へ侵入する虞がない。
【００１８】
従って、前記縦管部の上方から、底面部に滞留した異物を容易に除去出来、メンテナンス性が良好である。
【００１９】
しかも、前記ダクト本体の内部に異物が滞留したり、或いは、冷暖房ユニット等の機器類まで、異物が到達してしまう虞も無いため、通気抵抗を増大させること無く、清潔な空気を長期に渡り供給出来る。
【００２０】
従って、清掃及び機器類の交換等のメンテナンス間隔を長くすることが出来、メンテナンスコストも減少させることができる。
【００２１】
更に、前記換気開口部に設けられた換気グリル部に、フィルタやネットを取り付ける場合でも、通気抵抗が増大すること無く、簡便でデザイン性を重視したものを用いることが出来るようになり、設計の自由度を向上させることができる。
【００２２】
また、前記底面部が、前記縦管部の真下に位置するので、換気グリル部から落下した液体、埃や小物体等の異物は、確実に、該底面部によって受け止められる。
【００２３】
そして、前記換気グリル部を介して、室内空間側から、該底面部の底板部の周囲に位置するすり鉢状の傾斜面部によって、底板部の中央方向へ異物が集積されている。このため、滞留した異物を容易に除去できるので、更に、メンテナンス性が良好である。
【発明を実施するための最良の形態】
【００２４】
次に、図面に基づいて、この発明を実施するための最良の実施の形態の建物の換気システムに用いられる床グリル構造について説明する。
【００２５】
図１乃至図１０は、この発明の実施の形態の床グリル構造を示すものである。
【００２６】
まず、構成から説明すると、この実施の形態の床グリル構造は、住宅等、建物１０１の床下空間１０２ａ，１０２ｂを利用して、換気用のダクトを配策する換気システムに適用されるものである。
【００２７】
この実施の形態の換気システムが用いられる建物１０１は、各室内空間１０３〜１０８が、床面６…及び壁面部７…等によって区画されている。
【００２８】
このうち、一階の床面６の下方に位置する床下空間１０２ｂには、水平配管されたダクト本体８，８を介して、室内空間１０３，１０８等に、内，外気を循環若しくは吸排気することにより、暖熱、冷却等の温度調整や或いは、湿度調整が行われる換気システム１０９の換気装置１０９ａが、ベタ基礎部１１０の上面に載置されている。
【００２９】
この換気装置１０９ａは、分配装置１０９ｂ等及び、前記各床面６…の下方に水平配管されたダクト本体８…を介して、前記室内空間１０３〜１０８内の空気の吸排気が行われるように、各々接続されている。
【実施例１】
【００３０】
図１乃至図１０に示すこの実施例１の床グリル構造では、前記換気システム１０９のうち、前記床面６に開口形成された換気開口部１０に、換気グリル部１１１が各々設けられている。
【００３１】
これらの各換気グリル部１１１…には、図１に示すように、最上面に各々グレーチング部１１５…が設けられている。
【００３２】
このグレーチング部１１５は、図３に示すように、前記床面６を構成するパーティクルボード６ａの開口部１０ａ周縁に係止される外枠体１１２と、このパーティクルボード６ａの上面側に貼設されるフローリング材６ｂの開口部１０ｂに一部重複して係止される上面視正方形状の縁材１１３と、複数の通気孔を縦横に整列配置させた格子部１１４とを有して構成されている。
【００３３】
このうち、前記外枠体１１２には、図７に示すように、このグレーチング部１１５から略鉛直に延設されて、グリル側縦管部１１６が設けられている。
【００３４】
また、このグリル側縦管部１１６の内側には、防塵メッシュ部材１１７及び風量調整キャップ部材１１８が装着されていて、送出される空気の風量が調整可能とされている。
【００３５】
更に、このグリル側縦管部１１６の下部１１６ａには、エルボ部１２２を有するエルボ部材１２０の縦管部１２１に、内嵌する際に、この縦管部１２１に内向きに凸設形成された複数の係止フィン１２１ａ…と各々係止されて、約９０度以内の回転が許容される回転止め片１１６ｂ…が複数形成されている。
【００３６】
そして、この下部１１６ａが、上方から前記縦管部１２１に挿入されることにより、前記グレーチング部１１５と、前記エルボ部材１２０が連結されるように構成されている。
【００３７】
このエルボ部材１２０には、前記縦管部１２１の管路方向を約９０度屈曲させることにより、管路方向を略水平とする水平管部１２３が、前記エルボ部１２２を介して一体に形成されている。
【００３８】
このエルボ部１２２には、図９に示すように、この水平管部１２３に端部８ａが内挿されて連結される前記水平配管されたダクト本体８の最下面部８ｂの高さ方向位置よりも、低くなるように、高さ方向位置が設定された底面部１２４が設けられている。
【００３９】
この底面部１２４は、図８に示すように、前記縦管部１２１の管軸方向真下に位置するように構成されていて、平板状の底板部１２４ａと、この底板部１２４ａの周囲に位置するすり鉢状の傾斜面部１２４ｂとによって、異物等を一定量保持可能とすると共に、保持されている異物等が、段部１２４ｃを乗り越えて前記ダクト本体８の端部８ａから、ダクト本体８内部へ向けて侵入しにくくなるように構成されている。
【００４０】
また、この実施例1の前記水平管部１２３には、前記ダクト本体８の端部８ａの外周面に当接して保持する固定フィン１２３ａ…が、周上に一定間隔を置いて、複数枚、内向きに凸設形成されている。
【００４１】
次に、この実施例１の床グリル構造の作用効果について説明する。
【００４２】
この実施例１の床グリル構造では、まず、図１に示すように、前記外気吸入口１５若しくは、室内空間１０６等に設けられた換気開口部１０の換気グリル部１１１等から取り入れられた外気若しくは室内空間１０６等の空気が、この換気システム１０９の換気装置１０９ａによって、適宜、調和されて、前記分配装置１０９ｂ及びダクト本体８，８を介して、前記各室内空間１０４，１０５及び１０７，１０８の各床面６…に設けられた換気グリル部１１１…方向へ向けて送出される。
【００４３】
そして、前記換気グリル部１１１では、前記エルボ部１２２で、鉛直方向に向けて略９０度屈曲された管路に沿って空気が、前記グレーチング部１１５の格子部１１４を介して、前記室内空間１０４等内に放出されて、室内空間１０４等が快適な状態に保持される。
【００４４】
この実施例1では、図９に示すように、前記エルボ部１２２に形成された底面部１２４の高さ方向位置が、前記ダクト本体８の最下面部８ｂの高さ方向位置よりも、低く設定されている。
【００４５】
このため、前記グレーチング部１１５から、縦管部１２１を介してエルボ部１２２内に侵入した異物が、このエルボ部１２２の底面部１２４に滞留して、前記段部１２４ｃを乗り越えることが無いため、前記水平配管されたダクト本体８方向へ侵入する虞がない。
【００４６】
このように、前記グレーチング部１１５の真下に位置する底面部１２４に滞留した異物は、縦管部１２１を介して上方の室内空間１０４から、容易に除去出来、メンテナンス性が良好である。
【００４７】
しかも、前記ダクト本体８の内部に異物が滞留したり、或いは、換気装置１０９ａ等の冷暖房を行う空調機器類まで、異物が到達してしまう虞も無いため、通気抵抗を増大させること無く、清潔な空気を長期に渡り供給出来る。
【００４８】
従って、清掃及び機器類の交換等のメンテナンス間隔を長くすることが出来、メンテナンスコストも減少させることができる。
【００４９】
更に、前記換気開口部１０に設けられた換気グリル部１１１に、防塵メッシュ部材１１７や、図５に示すような格子部１１４を有するグレーチング部１１５を取り付ける場合でも、通気抵抗が増大すること無く、簡便でデザイン性を重視したものを用いることが出来るようになり、設計の自由度を向上させることができる。
【００５０】
また、この実施例1では、前記底面部１２４が、前記換気グリル部１１１の真下で、しかも、管路中心を、この底面部１２４の略中心とするように、グリル側縦管部１２１及び連結される縦管部１２１の真下に位置するので、換気グリル部１１１から落下した液体、埃や小物体等の異物が、確実に、この底面部１２４によって受け止められる。
【００５１】
そして、前記換気グリル部１１１を介して、室内空間１０４等側から、底面部１２４に滞留した異物を容易に除去できるので、メンテナンス性が良好である。
【００５２】
この際、この実施例1では、前記底面部１２４の底板部１２４ａの周囲に位置するすり鉢状の傾斜面部１２４ｂとによって、底板部１２４ａ中央方向へ異物が集積されているので、更に、容易に除去が可能でメンテナンス性が良好である。
【００５３】
以上、図面を参照して、本発明の実施の形態を詳述してきたが、具体的な構成は、この実施の形態に限らず、本発明の要旨を逸脱しない程度の設計的変更は、本発明に含まれる。
【００５４】
即ち、前記実施例１では、前記エルボ部材１２０のエルボ部１２２の屈曲角度が、縦管部１２１から管路を約９０度、水平に屈曲させることにより構成されているが、特にこれに限らず、例えば、屈曲開始位置では、約１０度〜８０度等であっても、水平配管されるダクト本体８に接続されるように接続される位置で、水平となる等、どのような角度で屈曲されていても良く、形状及び屈曲回数等が特に限定されるものではない。
【図面の簡単な説明】
【００５５】
【図１】この発明の最良の実施の形態の実施例１の床グリル構造で、建物全体の構成を説明する模式的な縦断面図である。
【図２】実施例１の床グリル構造で、換気グリル部の分解斜視図である。
【図３】実施例１の床グリル構造で、換気グリル部の構成を説明する一部断面側面である。
【図４】実施例１の床グリル構造で、グレーチング部の側面図である。
【図５】実施例１の床グリル構造で、グレーチング部の平面図である。
【図６】実施例１の床グリル構造で、グレーチング部の構成を説明し、図５中Ｂ−Ｂ線に沿った位置での断面図である。
【図７】実施例１の床グリル構造で、グレーチング部の構成を説明し、図５中Ａ−Ａ線に沿った位置での断面図である。
【図８】実施例１の床グリル構造で、エルボ部の上面図である。
【図９】実施例１の床グリル構造で、エルボ部の構成を説明する図８中Ｃ−Ｃ線に沿った位置での断面図である。
【図１０】実施例１の床グリル構造で、エルボ部を水平管部側から見た正面図である。
【図１１】従来例の床グリル構造で、換気システムが適用された建物全体の構成を説明する模式的な縦断面図である。
【符号の説明】
【００５６】
８                    ダクト本体
８ｂ                  最下面部
６                    床面
１０                  換気開口部
１０１                建物
１０２ａ，１０２ｂ    床下空間
１０３〜１０８        室内空間（室内）
１０９                換気システム
１１１                換気グリル部
１２１                縦管部
１２２                エルボ部
１２４                底面部
【図１】
0004813866.tif 000002
【図２】
0004813866.tif 000003
【図３】
0004813866.tif 000004
【図４】
0004813866.tif 000005
【図５】
0004813866.tif 000006
【図６】
0004813866.tif 000007
【図７】
0004813866.tif 000008
【図８】
0004813866.tif 000009
【図９】
0004813866.tif 000010
【図１０】
0004813866.tif 000011
【図１１】
0004813866.tif 000012